(57)【要約】【課題】  夜間や暗い所でもお守り袋の存在が認識でき、その表面に表出された美しい模様や色彩を視認できるお守り袋を提供する。【解決手段】  お守り袋１０の織物の表面にどのような模様、図柄３や文字２を表出させるか、また、それらをどのような色彩で表出させるかを決める。これらの模様や図柄等の織物への織り込みに、太陽光線等が当たるとその光エネルギーを吸収し、暗闇の中において、そのエネルギー活性化させて発光する蓄光糸を使用する。また、蓄光糸そのものを種々の色で着色しておき、その着色された糸を使用して織物を織ることで、模様等が暗所で色彩鮮やかに光るため、お守り袋１０の存在が認識可能となる。【選択図】        図１
2007068613.tif 000002
【特許請求の範囲】
【請求項１】
光エネルギーを吸収し、そのエネルギーを可視光に変えて暗所で発光可能な蓄光糸を単数または複数種類使用して縦糸または緯糸、あるいは縦糸と緯糸に用いて織られた織物によって袋体に構成されたことを特徴とするお守り袋。
【請求項２】
前記蓄光糸によって図柄や模様あるいは文字を単独であるいは複合した状態で前記織物の表面に形成表出したことを特徴とする請求項１記載のお守り袋。
【請求項３】
前記織物において図柄や模様あるいは文字を除く地模様部が前記蓄光糸によって形成されたことを特徴とする請求項１記載のお守り袋。
【請求項４】
前記織物において図柄や模様あるいは文字と、地模様部とが前記蓄光糸によって形成され、当該お守り袋全体が暗所で発光するように構成されたことを特徴とする請求項１記載のお守り袋。
【請求項５】
前記図柄や模様あるいは文字が一定間隔に連続して形成表出されるように織られた前記織物を一定間隔で裁断し、その裁断で得られた織物片を縫合して前記袋体に構成したことを特徴とする請求項２乃至４のいずれかに記載のお守り袋。
【請求項６】
前記図柄や模様あるいは文字が前記袋体の表面または裏面、あるいは表面と裏面とに形成表出されていることを特徴とする請求項５記載のお守り袋。
【請求項７】
内部にお守り体を入れて、全体が織物地によって覆われて形成されるお守り袋であって、光エネルギーを吸収しそのエネルギーを可視光に変えて暗所で発光可能な蓄光糸を用いて織られた織物を使用することにより、前記織物地に形成された模様部あるいは地模様部、または模様部と地模様部が暗所で発光するように構成されたことを特徴とするお守り袋。
【請求項８】
前記蓄光糸は、あらかじめ色顔料等によって所定の色に着色され、その色で前記模様部あるいは地模様部、または前記模様部と地模様部が暗所において発光することを特徴とする請求項７記載のお守り袋。
【発明の詳細な説明】
【技術分野】
【０００１】
本発明は、お守りを入れるためのお守り袋に関し、特に所定の繊維からなる織物地によって構成されるお守り袋に関するものである。
【背景技術】
【０００２】
一般的にお守り袋は、織物地等によって構成される袋体と、その中に入れるお守りが外へ出ないようにするとともに、お守り入れ袋そのものを吊り下げることができるようにするため、袋体の開口上端部近くに設けた紐とによって構成される。
【０００３】
また、内部に厚紙、あるいは板材を入れ、表部を色紙等で包んで板状体にし、その板状体の下部に織物地で袋部を設け、かつ上部にも織物地を付着させて飾りとし、それらの織物地の端をもう１枚の板状体で接着して固定形成し、袋部にお守りを入れることができるようにして、お守りが外から見えるようにしたお守り入れケースがある。さらに、円形状や台形状、あるいは方形状の厚紙や板材、その他の芯材の全体を織物で覆い、それら形状体の下部に織物地で袋部を設けて、その袋部にお守りを入れることができるようにしたものもある。
【発明の開示】
【発明が解決しようとする課題】
【０００４】
しかしながら、従来のお守り袋やお守り入れケースは、明るい場所では、お守り袋等の外観に表れる模様や、それらの材料である紙や織物等を良好に視認することができても、夜間や暗い場所等では、模様や色彩のみならず、お守りとそれを入れたお守り袋の存在すら容易に認識できない場合があった。
【０００５】
すなわち、お守り袋等の表面にあしらった模様や色彩の美しさや豊かさが人々に認識されないことは、装飾を施すことで見た目の美しさを兼ねたお守り袋本来の機能が損なわれるという問題がある。また、お守りを入れた袋やケースそのものが認識されないようでは、お守りを保持する者にとって、そのご利益に与ることができないという問題がある。
【０００６】
一方、太陽光線によって特定の色彩に変色する白糸を単数または複数種類使用して、それを縦糸と緯糸に用いて織った織物、あるいは、発光塗料を使用した繊維や糸を用いて織られた織物を使用したお守り入れ袋やケースが既に知られている（例えば、特許文献１参照）。
【０００７】
しかし、発光塗料を使用した織物をお守り袋に用いた場合、暗い場所等における視認性に問題はないとしても、その扱いに一定の注意を要する。すなわち、発光塗料には、その発光機能を維持するため、わずかながらも放射性物質を含んでいるため、常時、人体に密着させた態様での使用には制限が設けられるべきである。また、この種のお守り袋は、通常、視認性を重視する観点から、衣服のポケットに入れたり、カバン類に吊り下げる等して持ち歩くことがほとんどであり、その使用態様のみならず、生産や廃棄等にも厳しい管理が必要となる。
【０００８】
【特許文献１】実願２００２−６１３７号（実用新案登録第３０９２３１４号公報）
【０００９】
本発明は、上述した課題に鑑みてなされたもので、その目的とするところは、夜間や暗い所でお守り入れ袋が認識されない、あるいは暗所等においても視覚的にお守り入れ袋の装飾を安心して楽しめないという従前の不便や欠点を解消したお守り袋を提供することである。
【課題を解決するための手段】
【００１０】
かかる目的を達成し、上述した課題を解決する一手段として、例えば、以下の構成を備える。すなわち、所定の光エネルギーを吸収し、そのエネルギーを可視光に変えて暗所で発光可能な蓄光糸を単数または複数種類使用して縦糸または緯糸、あるいは縦糸と緯糸に用いて織られた織物によって袋体に構成されたことを特徴とする。
【００１１】
例えば、上記蓄光糸によって図柄や模様あるいは文字を単独であるいは複合した状態で上記織物の表面に形成表出したことを特徴とする。また、例えば、上記織物において図柄や模様あるいは文字を除く地模様部が上記蓄光糸によって形成されたことを特徴とする。
【００１２】
例えば、上記織物において図柄や模様あるいは文字と、地模様部とが上記蓄光糸によって形成され、当該お守り袋全体が暗所で発光するように構成されたことを特徴とする。
【００１３】
例えば、上記図柄や模様あるいは文字が一定間隔に連続して形成表出されるように織られた上記織物を一定間隔で裁断し、その裁断で得られた織物片を縫合して上記袋体に構成したことを特徴とする。また、例えば、上記図柄や模様あるいは文字が上記袋体の表面または裏面、あるいは表面と裏面とに形成表出されていることを特徴とする。
【００１４】
上述した課題を解決する他の手段として、本発明は、内部にお守り体を入れて、全体が織物地によって覆われて形成されるお守り袋であって、光エネルギーを吸収しそのエネルギーを可視光に変えて暗所で発光可能な蓄光糸を用いて織られた織物を使用することにより、上記織物地に形成された模様部あるいは地模様部、または模様部と地模様部が暗所で発光するように構成されたことを特徴とする。
【００１５】
例えば、上記蓄光糸は、あらかじめ色顔料等によって所定の色に着色され、その色で上記模様部あるいは地模様部、または上記模様部と地模様部が暗所において発光することを特徴とする。
【発明の効果】
【００１６】
本発明によれば、夜間や暗い所でもお守りや、お守り袋の存在が認識でき、かつ、お守り袋に表出した美しい模様や色彩を安心して楽しめるお守り袋を提供できる。
【発明を実施するための最良の形態】
【００１７】
以下、添付図面を参照して、本発明に係る実施の形態例を詳細に説明する。図１は、本実施の形態例に係るお守り袋（お守り入れ袋ともいう）の外観構成を示している。図１に示すお守り袋１０は、後述する工程により、所定の機能を有する繊維（蓄光糸）で織った織物によって構成される袋体１と、その袋体１の開口上端部近くに、中に入れるお守り（不図示）が容易に外へ出ないようにするとともに、お守り入れ袋を吊り下げることができるようにするための紐５とからなる。
【００１８】
ここでは、蓄光糸を織物の縦糸や緯糸、あるいは縦糸と緯糸の双方に用いて織物を織り、また、蓄光糸を使用して、織物表面（つまり、袋体１の表面あるいは裏面）に図柄や模様３、あるいは文字２を単独で表出させたり、あるいは複合した状態で表出させて織り上げる。蓄光糸は、太陽光線等が当たると、その光エネルギーを吸収し、暗闇の中において、そのエネルギー活性化させて発光する。そのため、お守り袋１０の織り込みに使用した場合、図柄や模様等を暗闇の中で発光するよう構成することができる。
【００１９】
また、お守り袋１０は、蓄光糸と光エネルギーを吸収しない通常の繊維とを組み合わせて構成してもよいし、あるいは、あらかじめ一定の色彩（例えば、赤、青、黄、緑、あるいは紫等の各種の色彩）に着色された蓄光糸を使用して織られた織物で構成することもできる。
【００２０】
なお、単独で織物表面に表出させるとは、例えば、単に図柄なら図柄のみを、織物表面に表出させることができるということであり、複合した状態とは、例えば、図柄と文字、あるいは模様と図柄および文字を同時に、織物表面に表出させることができるということである。
【００２１】
本実施の形態例に係るお守り袋の形状は、図１に示す形状の他、長方形状、正方形状、台形状、巾着形状、あるいは円形状にも構成でき、その大きさも様々なものとすることができる。さらに、その色彩についても、目的とする色彩に合わせて、各種の色彩で着色された蓄光糸を使用することで、その色が模様等として表出されたお守り入れ袋を構成することもできる。
【００２２】
模様や図柄３のうち、図柄として、例えば、山の図、花の図、動物の図、建物、あるいは人物図等、様々な図柄を表出できる。また、模様としては、例えば、花柄模様、同一形状の模様等を連続して表出することができる。これらの模様や図柄３は、お守り袋の一方側表面、あるいは両側表面に単独でも、また他の模様や文字等と複合した状態でも表出させることができる。
【００２３】
模様や図柄３の部分を蓄光糸で表出すると、その部分に太陽光線等が当たることによって、その光エネルギーを吸収するため、その部分のみが暗闇の中で色彩鮮やかに光るように表出することもできる。また、模様や図柄３は、他の模様や文字等とともに太陽光線等が当たることで、暗所等で所望の色彩を発するように表出することができる。
【００２４】
なお、模様や図柄３は、太陽光線等が当たらない時には光エネルギーの吸収がないため、白色、あるいは、あらかじめ着色した色で表出される。従って、それらの色彩で模様や図柄３が単独で表出されるお守り袋、あるいは模様や図柄３が両側面に表出されるお守り袋、さらには、他の模様や文字とともに複合的に表出されるもの等、種々のお守り袋を構成することができる。
【００２５】
文字２は、通常、お守り袋１０の表側に「御守」の文言の他、例えば、交通安全、家内安全、学業成就、合格、身体健全等の祈願用語で、お守り袋１０の中に入るお守りと同じような文字を表示し、お守り袋１０の裏面には、例えば、神社、仏閣の名称が表示される。これらの文字２についても、上述した模様や図柄３の場合と同様、太陽光線等が当たると、その光エネルギーを吸収するように蓄光糸を使用して織り上げることができる。
【００２６】
文字２は、お守り袋１０の場合、通常、表と裏の二ヶ所に表出されるが、いずれか一方側面のみの場合もある。そして、文字２は、蓄光糸を使用してお守り袋１０に表出することで、太陽光線等に当たるとその光エネルギーを吸収し、お守り袋１０の一方側面、あるいは両側面において、単独あるいは複合的に暗闇の中で発光する。なお、文字２も、他の模様や図柄３の場合と同様、太陽光線等が当たらない場合は、白色、あるいは、あらかじめ着色した色彩の文字として、お守り袋１０の表面に表出される。
【００２７】
一方、お守り袋１０の地模様４は、お守り袋１０の織物を織る際に、例えば、楔形地模様や唐草地模様、縦縞地模様や横縞地模様等を形成することができる。この地模様４についても、他の模様や図柄３、あるいは文字２と同様、蓄光糸を使用して形成することで、太陽光線等が当たると、その光エネルギーを吸収するため、お守り袋１０の地模様４の部分のみを、暗中で発光させることもできるし、他の模様や図柄３、あるいは文字２と複合的に発光させることもできる。
【００２８】
また、地模様４については、お守り袋１０の一方側面の地模様のみ、あるいは両側表面の地模様を暗中で発光させることができる。蓄光糸を使用して織り込んだ地模様４は、太陽光線等が当たれば、その光エネルギーを吸収するので、暗所等において、その織り込みに使用した繊維の色の地模様が表出される。よって、地模様４の発光、または、これと模様や図柄３あるいは文字２との複合的連結発色により、お守り袋１０として種々のものを構成することができる。
【００２９】
このように、本実施の形態例に係るお守り袋は、蓄光糸を使用して織った織物を使用することで、太陽光線等の光エネルギーを吸収する。このため、暗所等において、模様や図柄３、文字２、地模様４が発光するように構成できる。また、例えば、蓄光糸をあらかじめ赤、青、黄、緑、あるいは紫等で着色しておくことで、模様や図柄３、文字２、地模様４が暗所等において、各々単独にあるいは複合的にその色彩で発光するようにも構成できる。
【００３０】
なお、お守り袋１０は、その一方側面の模様や図柄３、文字２、地模様４を、単独にあるいは複合的に暗闇の中で発光させることができるし、その両側表面の模様や図柄３、文字２、地模様４が発光するようにもできる。
【００３１】
従って、蓄光糸を適宜に使用することにより、目的の色彩を表出する図柄や模様、あるいは文字を、お守り袋の織物の表面に表出させることができる。さらには、蓄光糸と通常の糸、あるいはすでに一定の色彩に染められている糸を、それぞれ縦糸あるいは緯糸、または縦糸と緯糸の双方に使用して織物を織ることができる。このように、お守り袋を構成する織物に蓄光糸を使用することで、色彩鮮やかな部分を呈するお守り入れ袋を提供できる。
【００３２】
次に、本実施の形態例に係るお守り袋に使用する蓄光糸について詳細に説明する。蓄光糸は、太陽光や紫外線、蛍光灯・白熱灯等からの光の刺激を受けて紫外線エネルギーを吸収し、そのエネルギーを可視光に変えて、光による刺激が停止した後も徐々に光を放出しながら長時間発光し続ける機能を持っている。つまり、これらの光源からの光エネルギーを活性化させて発光し、暗闇の中で極めて明るく、かつ長時間、光り続ける。
【００３３】
蓄光糸は、例えば、ナイロン、ポリエステル、ポリプロピレン等の合繊長繊維糸に、蓄光顔料を混ぜた樹脂を付着させてなる繊維であるため、他の生地への編み込みも可能である。さらには、蓄光糸そのものを、例えば、赤、緑、紫、青紫、黄、黄緑、白銀、青、紺、橙、その他の色で染め上げ（通常、蓄光顔料に色顔料を混ぜることで着色する）、その糸を使用して織物を織ることによって、これらの色で光る図柄や模様あるいは文字を、織物の表面に表出させることができる。
【００３４】
蓄光繊維の太さについても、元糸を変えることによって、ある程度、自由に変えることができる。また、蓄光性能には種々のタイプがあり、例えば、数分間光を当てると暗中で数十分間、光るタイプ(発光輝度弱)のものから、数分間、光を当てると暗中で数時間、光るタイプ（発光輝度強）のものまである。
【００３５】
なお、この蓄光顔料は、放射性物質等、人体に影響を及ぼすような材料、原料等は一切含まれていないため安心して使用でき、手で触れても、あるいは肌に直接触れるような使用形態でも、人間に健康被害が生じることはない。また、蓄光顔料自体は不燃性なので蓄光糸そのものも耐熱性に優れ、ナイロンやポリエステル等の使用可能範囲であれば、周囲温度の点で問題となることはない。
【００３６】
次に、本実施の形態例に係るお守り袋の製造方法について簡単に説明する。本実施の形態例に係るお守り袋を構成する織物は、図柄や模様、あるいは文字を表出させ、また色彩を定めるため、あらかじめ紋紙（意匠データ）を作成する。紋紙からは、織物の織機に使用する型紙が作成される。この型紙は、あらかじめ一定の模様や図柄、あるいは文字が、一定間隔で繰り返して織られるように構成されている。そのため、これらの模様や図柄、あるいは文字が織られた織物を一定間隔で裁断することで、各々の織物片が得られる。
【００３７】
上述した型紙を織物の織機の所定位置にセットすると、その織機に内蔵されたコンピュータ（マイクロプロセッサ）が、それらの図柄や模様、あるいは文字を読み込み、さらには、指定された色に応じて、その色で着色された蓄光糸を繰り取る。その結果、目的とする図柄や模様、あるいは文字が必要な色彩の糸で織物が織り上げられることになる。
【００３８】
図２および図３は、このようにして、図柄や模様、あるいは文字が繰り返し表出するように織られた織物を示している。図２は、袋体の表と裏それぞれに表出される図柄や模様等を縦方向に連ねて織ったときの織物を示し、図３は、袋体の表と裏に表出される図柄や模様等が互いに横方向に連ねて織られたときの織物を示している。
【００３９】
ここでは、図２に示す織物２０、あるいは図３に示す織物３０を一定間隔で裁断し、裁断後の各々の織物片（図２において点線枠で示す織物片２３ａ〜２３ｊ、図３における織物片３３ａ〜３３ｆ）について、例えば、その長手方向の両端、あるいは、両端を一定部分のみを折り曲げて縫合し、その後、最終的に模様や図柄、あるいは文字が表面や裏面に表出するように織物片を２つに折り曲げて、その両側を縫合して袋体を形成する。そして、この袋体の開口上端部を適宜、袋体の内側に折り重ねることで、所定形状のお守り袋を構成する。
【００４０】
なお、袋体の開口上端部近くには、通常、図１に示すように紐等を通して、中に入れるお守りが容易に外へ出ないようにするとともに、お守り袋を吊り下げることができるようにしている。
【００４１】
このように、本実施の形態例に係るお守り袋は、その袋表面に図柄や模様、あるいは文字等が、上述した蓄光糸を使用して織り込むことにより表出される。これらの図柄や模様、あるいは文字は、お守り袋の一方の表面のみに、単独であるいは複合した状態で表出させることもできるし、また、お守り袋の両側表面に図柄や模様、あるいは文字を同時に、単独であるいは複合した状態で表出させることもできる。これらは、上述した型紙に、あらかじめ織り込み情報を組み込むことによって可能となる。
【００４２】
織物に蓄光糸を使用しているため、お守り袋に適当な時間、太陽光線等を当てた後、暗所等において、例えば、一定の図柄のみ、あるいは模様のみ、また文字のみを織物表面に表出させることもできるし、図柄や模様等を複合した状態で織物表面に表出することができる。
【００４３】
上述したように、蓄光糸を使用して図柄や模様等が表出された織物を裁断・縫合することによってお守り袋を構成することで、お守り袋の必要な部分、つまり図柄のみや模様のみ、あるいは文字のみを、お守り袋の一方側表面あるいは両側表面において色彩鮮やかに発光、表出させることができる。また、それらの模様や図柄、あるいは文字が複合した状態で、お守り袋の一方側表面あるいは両側表面に色彩鮮やかに表出されるお守り袋を構成することができる。さらには、お守り袋の地模様を、色彩鮮やかに表出できるお守り袋を形成することもできる。
【００４４】
以上説明したように、本実施の形態例によれば、織物で構成されるお守り袋の表面に、太陽光線等が当たることにより紫外線エネルギーを吸収しそのエネルギーを可視光に変えて、暗闇の中でも光を放出しながら発光し続ける蓄光糸を使用して、図柄や模様、文字、あるいはお守り袋の地模様を表出形成することで、暗所においても、それら図柄や模様等がお守り袋の表面において発光して表出される。そのため、お守り袋の存在を容易に認識でき、かつ、視覚的にお守り袋を楽しむことができる。また、蓄光糸の使用により、人体に密着した状態で長期間、お守り袋を携帯、使用しても安全である。
【００４５】
さらに、織物にあらかじめ種々の顔料で着色した蓄光糸を使用することで、織物の模様部あるいは地模様部等、特定箇所を暗所で視認できるとともに、色彩鮮やかな部分を呈するお守り袋を構成できるため、見た目にも変化に富んだお守り袋とすることができる。
【図面の簡単な説明】
【００４６】
【図１】本発明の実施の形態例に係るお守り袋の外観構成を示す図である。
【図２】図柄や模様、あるいは文字が繰り返し縦方向に織り上げられた織物を示す図である。
【図３】図柄や模様、あるいは文字を繰り返し横方向に織り上げた織物を示す図である。
【符号の説明】
【００４７】
１    袋体
２    文字
３    図柄・模様
４    地模様
５    紐
１０    お守り袋
２０，３０    織物
２３ａ〜２３ｊ，３３ａ〜３３ｆ    織物片
【図１】
2007068613.tif 000003
【図２】
2007068613.tif 000004
【図３】
2007068613.tif 000005